(57)【要約】【課題】  スキャナ装置を保持し、また、デジタル画像が保存されたメモリカードから、画像を印刷することが可能な画像形成装置において、画像選択用のマークシートを印刷し、ユーザーにマークシートに記入させ、これを読み込むことで容易な印刷を提供する場合、メモリカードの中から画像を消去しても、所望の画像を印刷することが可能な装置を提供する。【解決手段】  メモリカードと選択シートの依存関係を無くす。これにより、メモリカードの内容が変更されても、以前印刷された選択シートを使用して、所望の画像データを印刷することを可能とする。【選択図】  図１
2009117900.tif 000002
【特許請求の範囲】
【請求項１】
画像データを被記録材に記録する画像形成装置であって、
データを格納する記憶媒体を装着する記憶媒体装着部と、
前記記憶媒体装着部に装着された前記記憶媒体の中の画像データを読み出すデータ読み出し部と、
前記画像データを被記録材にレイアウトするためのレイアウト部を有し、
前記レイアウト部によってレイアウトされた前記画像データ郡を印刷すると同時に、特定の領域に前記画像データ郡を保存することを特徴とする画像形成装置。
【請求項２】
任意のデータを保存するための保存領域を有し、
前記画像データを前記保存領域に保存することを特徴とする、請求項１に記載の画像形成装置。
【請求項３】
被記録材上に特定の矩形を形成することが可能な矩形形成手段を有し、
印刷を行う際に前記レイアウト部によって画像をレイアウトすると共に、前記矩形形成手段によって画像を特定するための矩形を形成し印刷することを特徴とする、請求項１に記載の画像形成装置。
【請求項４】
前記レイアウト部によって同一被記録材上にレイアウトされた前記画像データ郡を特定するための画像テーブル作成手段を有し、
前記画像テーブル作成手段によって作成された画像テーブルを特定の領域に保存することを特徴とする、請求項1に記載の画像形成装置。
【請求項５】
前記画像テーブル作成手段によって作成された前記画像テーブルを解析する画像テーブル解析手段を有し、
前記画像テーブル解析手段によって抽出された前記画像データ郡を、前記レイアウト部によってレイアウトし同一被記録材上に印刷することを特徴とする、請求項４に記載の画像形成装置。
【請求項６】
前記被記録材上に記録されたデータを読み取る記録材データ読み取り部と、
前記記録材データ読み取り部によって読み取られたデータを解析する記録材データ解析部と、
前記レイアウト部によって形成された記録材データに対応した前記画像テーブルを検索する、画像テーブル検索部を有し、
前記記録材データ解析部によって解析された結果に基づいて、前記画像テーブルを使用して印刷することを特徴とする、請求項４に記載の画像形成装置。
【請求項７】
画像データを被記録材に記録する画像形成方法であって、
記憶媒体の中の画像データを読み出すデータ読み出し工程と、
任意のデータを保存するための保存工程と、
画像データを被記録材にレイアウトするためのレイアウト工程を有し、
前記レイアウト工程によってレイアウトされた前記画像データ郡を印刷すると同時に、前記保存工程に前記画像データ郡を保存することを特徴とする画像形成方法。
【請求項８】
被記録材上に特定の矩形を形成することが可能な矩形形成工程を有し、
印刷を行う際に前記レイアウト部によって画像をレイアウトすると共に、前記矩形形成工程によって画像を特定するための矩形を形成し印刷することを特徴とする、請求項７に記載の画像形成方法。
【請求項９】
前記レイアウト工程によって同一被記録材上にレイアウトされた前記画像データ郡を特定するための画像テーブル作成工程を有し、
前記画像テーブル作成工程によって作成された画像テーブルを前記保存工程で保存することを特徴とする、請求項７に記載の画像形成方法。
【請求項１０】
前記画像テーブル作成工程によって作成された前記画像テーブルを解析する画像テーブル解析工程を有し、
前記画像テーブル解析工程によって抽出された前記画像データ郡を、前記レイアウト工程によってレイアウトし同一被記録材上に印刷することを特徴とする、請求項９に記載の画像形成方法。
【請求項１１】
前記被記録材上に記録されたデータを読み取る記録材データ読み取り工程と、
前記記録材データ読み取り工程によって読み取られたデータを解析する記録材データ解析工程と、
前記レイアウト工程によって形成された記録材データに対応した前記画像テーブルを検索する、画像テーブル検索工程を有し、
前記記録材データ解析工程によって解析された結果に基づいて、前記画像テーブルを使用して印刷することを特徴とする、請求項９に記載の画像形成方法。
【発明の詳細な説明】
【技術分野】
【０００１】
本発明は、外部メモリから画像データを読み込み印刷する手段を備えた画像形成装置及び、画像形成方法に関するものである。
【背景技術】
【０００２】
写真をデジタル画像として保存する装置として、デジタルカメラ装置が普及してきた。このデジタルカメラ装置では一般的に、メモリカードと呼ばれる取り外し可能な不揮発性メモリを装着でき、撮影した画像をデジタルファイルに変換し、このメモリカードの中に保存することが可能である。
【０００３】
ユーザーは、デジタルカメラで撮影したデジタル画像をPCなどのデジタル機器で閲覧することができる上に、PCに接続されたプリンタ等の画像形成装置を通じて紙などの物理媒体に印刷して楽しむことが可能である。
【０００４】
近年、メモリカードを直接挿入し印刷することが可能なプリンタも増えており、ユーザーはPCを使用しなくても、所望の写真を簡単に手にすることができるようになった。
【０００５】
またメモリカードについては、年々容量が増大し非常に多くのデジタルデータを保存することが可能になってきている。ユーザーは、デジタルカメラで多くの画像を手軽に撮影し、楽しむことができるようになった。このため今までの銀塩写真と違い、大量に撮影された画像の中から出力したい画像のみを選択し、物理写真として印刷することができる。
【０００６】
しかし画像を印刷する際にPCの操作やプリンタの操作によって、所望の写真を指定する必要がある。また、印刷枚数や出力画像の大きさなど、印刷に必要な設定項目を指示する必要もある。それらの指示方法は、PCアプリケーションやプリンタの種類によって異なっており、わかりにくく繁雑であった。
【０００７】
この問題を解決するために、特開2002-051283号公報等の技術においては、メモリカード内のデータの中から所望の画像を容易に選択し、印刷する例が公開されている。この発明によれば、
1.メモリカードなどの記録媒体の中に保存された画像データをサムネイル表示の選択シートに印刷。
【０００８】
2.このシートの紙面上でユーザーが所望の画像を選択。
【０００９】
3.シートを装置が読み取りそれにしたがって印刷する。
と言うステップをふむことで、直感的で明確な写真選択が可能となる。
【００１０】
現在ではこれに類似した方法で、デジタル画像を選択し印刷させると言う方法も、一般的な手段となりつつある。
【特許文献１】特開2002-051283号公報
【発明の開示】
【発明が解決しようとする課題】
【００１１】
特開2002-051283号公報等の技術は、メモリカード内の画像を選択する目的で提案されたため、印刷された選択シートの内容とメモリカードの内容が一致することが前提となる。また一方、画像を保存するメモリカードのメモリ使用量が満杯になってしまった場合、デジタルカメラにて新しく写真をとることができない。新たに写真を撮るためには、メモリカードに保存されているいくつかのデジタル画像を削除して、メモリカードのメモリ使用量を減らす必要がある。このように、メモリカードの内容は動的に変更される可能性が高い。
【００１２】
もし特開2002-051283号公報等の技術において選択シートを印刷した後にメモリカード内の画像を削除または変更してしまった場合、以前印刷を行った選択シートによって所望の画像を印刷することは出来なくなり、選択シートが無駄になってしまう問題があった。
【課題を解決するための手段】
【００１３】
本発明は上記課題を解決するためになされたものであり、その目的は、メモリカードと選択シートの依存関係を無くすことにある。
【００１４】
これにより、メモリカードの内容が変更されても、以前印刷された選択シートを使用して、所望の画像データを印刷することが可能な画像形成装置及びその制御方法を提供することが可能になる。
【００１５】
上記の目的を達成するために、本発明の請求項1の画像形成装置は、
データを格納する記憶媒体を装着する記憶媒体装着部と、
前記記憶媒体装着部に装着された前記記憶媒体の中の画像データを読み出すデータ読み出し部と、
前記画像データを被記録材にレイアウトするためのレイアウト部を有し、
前記レイアウト部によってレイアウトされた前記画像データ郡を印刷すると同時に、特定の領域に前記画像データ郡を保存することを特徴とする。
【００１６】
同じ目的を達成するために、本発明の請求項２の画像形成装置は、
任意のデータを保存するための保存領域を有し、
前記画像データを前記保存領域に保存することを特徴とする。
【００１７】
同じ目的を達成するために、本発明の請求項３の画像形成装置は、
被記録材上に特定の矩形を形成することが可能な矩形形成手段を有し、
印刷を行う際に前記レイアウト部によって画像をレイアウトすると共に、前記矩形形成手段によって画像を特定するための矩形を形成し印刷することを特徴とする。
【００１８】
同じ目的を達成するために、本発明の請求項４の画像形成装置は、
前記レイアウト部によって同一被記録材上にレイアウトされた前記画像データ郡を特定するための画像テーブル作成手段を有し、
前記画像テーブル作成手段によって作成された画像テーブルを特定の領域に保存することを特徴とする。
【００１９】
同じ目的を達成するために、本発明の請求項５の画像形成装置は、
前記画像テーブル作成手段によって作成された前記画像テーブルを解析する画像テーブル解析手段を有し、
前記画像テーブル解析手段によって抽出された前記画像データ郡を、前記レイアウト部によってレイアウトし同一被記録材上に印刷することを特徴とする。
【００２０】
同じ目的を達成するために、本発明の請求項６の画像形成装置は、
前記被記録材上に記録されたデータを読み取る記録材データ読み取り部と、
前記記録材データ読み取り部によって読み取られたデータを解析する記録材データ解析部と、
前記レイアウト部によって形成された記録材データに対応した前記画像テーブルを検索する、画像テーブル検索部を有し、
前記記録材データ解析部によって解析された結果に基づいて、前記画像テーブルを使用して印刷することを特徴とする。
【００２１】
同じ目的を達成するために、本発明の請求項７の画像形成方法は、
記憶媒体の中の画像データを読み出すデータ読み出し工程と、
任意のデータを保存するための保存工程と、
画像データを被記録材にレイアウトするためのレイアウト工程を有し、
前記レイアウト工程によってレイアウトされた前記画像データ郡を印刷すると同時に、前記保存工程に前記画像データ郡を保存することを特徴とする。
【００２２】
同じ目的を達成するために、本発明の請求項８の画像形成方法は、
被記録材上に特定の矩形を形成することが可能な矩形形成工程を有し、
印刷を行う際に前記レイアウト部によって画像をレイアウトすると共に、前記矩形形成工程によって画像を特定するための矩形を形成し印刷することを特徴とする。
【００２３】
同じ目的を達成するために、本発明の請求項９の画像形成方法は、
前記レイアウト工程によって同一被記録材上にレイアウトされた前記画像データ郡を特定するための画像テーブル作成工程を有し、
前記画像テーブル作成工程によって作成された画像テーブルを前記保存工程において保存することを特徴とする。
【００２４】
同じ目的を達成するために、本発明の請求項１０の画像形成方法は
前記画像テーブル作成工程によって作成された前記画像テーブルを解析する画像テーブル解析工程を有し、
前記画像テーブル解析工程によって抽出された前記画像データ郡を、前記レイアウト工程によってレイアウトし同一被記録材上に印刷することを特徴とする。
【００２５】
同じ目的を達成するために、本発明の請求項１０の画像形成方法は、
前記被記録材上に記録されたデータを読み取る記録材データ読み取り工程と、
前記記録材データ読み取り工程によって読み取られたデータを解析する記録材データ解析工程と、
前記レイアウト工程によって形成された記録材データに対応した前記画像テーブルを検索する、画像テーブル検索工程を有し、
前記記録材データ解析工程によって解析された結果に基づいて、前記画像テーブルを使用して印刷することを特徴とする。
【発明の効果】
【００２６】
以上なような手段を用いた本発明によれば、メモリカードの内容が変更されても、以前印刷された選択シートを使用して、所望の画像データを印刷することが可能である。
【発明を実施するための最良の形態】
【００２７】
以下、添付図面を参照して本発明の公的な実施の形態を詳細に説明する。
【００２８】
図1は、本発明の実施形態に関わる画像形成装置１０００の概観斜視図である。この画像形成装置１０００は、以下の機能を備えた装置である。
【００２９】
1．図示しないホストコンピュータから印刷データを受信して、印刷する機能
2．備え付けられたスキャナ１００４を利用して原稿の読取を行い、読み取ったデータを印刷するコピー機能
3．カード挿入口１００３に挿入された、メモリカードから画像データを受信し、受信したデータに画像処理を施して、印刷を行うカード印刷機能
4．用紙原稿の読み取り、接続された前記ホストコンピュータに読み取りデータを保存する、PCスキャン機能
図1において、本実施形態に係る画像形成装置１０００の外殻をなす本体は、排出トレイ１００１、スキャナ原稿カバー１００４、ケース１００６、及び、記録装置へのアクセスで利用するアクセスカバー１００７の外装部材を有している。また、ケース１００６は、記録動作に係る各機構を収納する中空対構造をなしている。排出トレイ１００１は、その一端部が、ケース１００６に回転自由に保持され、その回転によってケース１００６の前面部に形成される開口部を開閉させ得るようになっている。このため、記録動作を実行させる時は、排出トレイ１００１を、前面側へ開口部を開くことにより、ここから記録シートが排出可能となると共に、排出された記録シートを順次積載し得るようになっている。アクセスカバー１００７は、一端部がケース１００６に回転自由に保持され、上面に形成される開口部を開閉しうるようになっており、このアクセスカバー１００７を開くことによって、本体内部に収納されている記録ヘッドカートリッジなどの交換が可能になる。
【００３０】
また、操作パネル１００２には、電源キー、各種印刷設定を行うキーが押し下げ可能に設けられている。また、印刷設定などを表示できる液晶部も同様に設けられている。１００５は自動給紙部で、記録シートを装置本体内へと自動的に給紙する。１００３は、カード挿入口で、ここにメモリカードが挿入され、メモリカード内に記憶されている画像データを印刷することができる。このメモリカードとしては、例えばコンパクトフラッシュ（登録商標）メモリ、スマートメディア、メモリスティック等がある。
【００３１】
図2は、図１における画像形成装置１０００を背面から見た外観斜視図である。２００１は、電源コード差込口であり、画像形成装置１０００に内蔵された図示しない電源と接続され、交流電流を供給するために利用する。２００２は、ホストコンピュータと接続するために必要なUSBの差込口である。
【００３２】
図３は、図１における画像形成装置１０００の原稿カバー１００４を上面に開き、原稿台にアクセス可能な状態を図示した外観斜視図である。尚、この図３において、前述の図面と共通する部分は同じ記号をつけ、それらの説明を省略する。この図３において、３００１はガラス製の原稿台であり、原稿のRGBデータを読取る図示しないコンタクトセンサが内部に装着されている。３００２は、白色基準版であり、原稿カバー１００４に備え付けられている。原稿カバー１００４を閉めた状態で、備え付けられているコンタクトセンサの白基準データ（キャリブレーション）を取得するのに利用される。
【００３３】
次に図４を参照して、本実施の形態に係る画像形成装置１０００の制御に係る主要部の構成を説明する。尚、この図４において、前述の図面と共通する部分は同じ記号をつけ、それらの説明を省略する。図４において、４００１は制御部（制御基板）を示している。４００３は、ＡＳＩＣ（専用カスタムＬＳＩ）を示し、その構成図は図５のブロック図を参照して詳しく後述する。４００２は中央演算装置（ＣＰＵ）であり、後述する各種制御及び演算等を担当している。４００４はメモリで、ＣＰＵ４００２の制御プログラムを記憶するプログラムメモリ４００４a、及び実行時のプログラムを記憶するＲＡＭエリア、データなどを記憶するワークメモリとして機能するメモリエリアを有している。４００５はデータ保存領域であり、画像データの保存を行うところである。本説明図に置いてはハードディスク(HDD)として記載されているが、不揮発性メモリなどの記憶領域に置き換えることは可能である。４００６は印刷部でありデータを用紙に印刷する際に使用されるが、本発明においては説明を省略する。また、４００７はスキャナ部であり、用紙に書かれた原稿からデータを読み取るために使用されるが、これも、本発明においては説明を省略する。４０１１は前述したメモリカードであり、デジタルデータが保存されている。メモリカード４０１１は前述のメモリカード挿入部１００３に挿入して使用される。４００８は電源コネクタで、電源コード４００９を家庭用コンセント（図不指示）に差し込むことで、電源４０１０により商用ＡＣから変換された直流電圧を入力している。
【００３４】
図５は、ＡＳＩＣ４００３の構成を示すブロック図である。この図５においても、前述の図面と共通する部分は同じ記号を付与して、それらの説明を省略する。
【００３５】
５００１は内部バス（ＡＳＩＣバス）であり内部の各モジュールを接続している。５００２はＣＰＵインターフェース部で、ＣＵＰ４００２との間でのデータのやり取りの制御を行っている。５００３はメモリカードインターフェース部で、装着されたメモリカード４０１１に記憶されている画像データを読み取ったり、或いはメモリカード４０１１へのデータの書き込み等を行ったりする。５００４は操作パネルインターフェース部で、操作パネル１００２に存在する各種ボタンからの各種操作信号を入力したり、表示部への表示データの出力したりする。５００５はスキャナ関連モジュールであり、スキャナ部４００７を動作させるための各モジュールが存在する。５００６は印刷関連モジュールであり、印刷部４００６を動作させるための各モジュールが存在する。５００７はHDDコントローラモジュールであり、データ保存領域４００５をハードディスクとした場合、これをコントローすするための各モジュールが存在する。
【００３６】
図６は、前記画像データ郡を特定するための前期画像テーブル６００１の一例である。６００２は画像インデックスであり、レイアウトされる画像データを管理するために使用される。６００３は画像データの画像名であり、保存された複数の画像データの中から特定の画像を認識するために使用される。６００４はファイルの更新日である。６００５はファイルのチェックサムである。６００３、６００４、６００５に関しては一例であり、ファイルを特定するためなどに使用することができる。
【００３７】
図７は、データ保存領域４００５に保存されるデータの概念図である。この図７においても、前述の図面と共通する部分は同じ記号を付与して、それらの説明を省略する。
【００３８】
データ保存領域４００５に保存されるデータは、基本的にファイルシステムと呼ばれるデータ管理システムが認識可能なように記述されている。データ構造の基点はルートディレクトリ７００１と呼ばれるデータ格納領域である。ルートディレクトリ７００１の中にはディレクトリと呼ばれるデータ格納領域が格納されており、これらの識別方法はファイル名もしくはディレクトリ名で行われている。
【００３９】
本発明を説明するために図７においては複数のディレクトリ及び複数のファイルに対して任意の記号を付加している。７００２，７００３，７００４，７００５は、ディレクトリ、７００６，７００７，７００８は、前期画像ファイル７００９，７０１０は、前期画像テーブルである。
【００４０】
図８は、本発明において使用される、プリンタの設定値や画像を選択するための、前記選択シートの概略図である。選択シート８０００に記載される内容は、画像テーブル６００１を識別するための識別子８００１、プリンタ設定を選択するための設定値領域８００２、画像データの略画像８００３、本発明の画像形成装置に動作指示をするためのマーク形状部８００４である。
【００４１】
図９は、本発明の概略を示したフローチャート図であり、選択シート８０００を印刷する際のシーケンスである。詳細は実施例にて説明を行う。
【００４２】
図１０は、本発明の概略を示したフローチャート図であり、設定値を書き込まれた選択シート８０００を読み込んで、その設定に従い印刷するためのシーケンスである。詳細は実施例にて説明を行う。
【実施例１】
【００４３】
本発明のシステムについて、具体的な動作手順を含めて実施例として説明を行う。本発明に記載の画像形成装置１０００は電源コード４００９を家庭用コンセントに挿入することで起動を行う。次に操作パネル１００２に配置されている電源キーを押下されることで、ユーザーからの入力待ち状態に遷移する。
【００４４】
本発明に使用される前記画像データは、メモリカード４０１１に保存されているものを使用する。本発明のシーケンスを行う前に、前記画像データが保存されたメモリカード４０１１を、カード挿入口１００３に挿入する必要がある。
【００４５】
本発明は、ユーザーが操作パネル１００２の操作によって、選択シート８０００の印刷動作を選択した時点で開始される(S９００１)。まず本発明におけるシステムは、その印刷にたいして選択された印刷条件の設定を行う(S９００２)。この中には、選択シート８０００上に画像を配置するためのレイアウトの設定も含まれる(S９００２)。次に、メモリカード４０１１の中に保存された画像データの検索を行う(S９００４)。S９００４の処理に於は、メモリカード４０１１に保存されている全ての画像を印刷対象として選んでも良いし、ある条件に合致した画像のみ選んでも良い。画像データの検索(S９００４)が終了すると、選択シート８０００上に配置すべき画像データがあるかどうかを判定する(S９００５)。ここで、画像データが存在しない場合は終了となる(S９０１４)。S９００４において画像データが存在した場合、メモリカード４０１１の中から画像データファイルの読み出しを行う(S９００６)。この読み出しについては、画像データ本体と同時にそのデータに関する情報(ファイル名など)も読み出す。S９００６にて読み出した情報の中で、ファイル名の情報を参照して、データ保存領域４００５に保存されたデータの中に同じファイル名が存在するかどうかを判定する(S９００７)。S９００７の判定において、同じファイル名がなかった場合は画像データファイルをデータ保存領域４００５に保存をおこなう(S９００９)。もし同じファイル名があった場合、S９００６で読み出した現在のファイル情報のファイル名を任意のものに変更し(S９００８)、画像データファイルをデータ保存領域４００５に保存をおこなう(S９００９)。次にデータ保存領域４００５の中に保存された画像テーブル７００６〜７０１０の中で、現在の印刷に対応した画像テーブル７００６〜７０１０が存在するかどうかを判定する(S９０１０)。この画像テーブル７００６〜７０１０は、選択シート８０００に１対１に対応することが推奨されるが、それに限ったものではない。S９０１０の判定において、画像テーブル７００６〜７０１０が存在した場合、その画像テーブル７００６〜７０１０に、保存した画像データの情報を記入する(S９０１２)。S９０１０の判定において画像テーブル７００６〜７０１０が存在しなかった場合、画像テーブルの作成を行ったのち(S９０１１)、保存した画像データの情報を記入する(S９０１２)。次にS９００３で決定したレイアウト配置に対象画像データを配置する(S９０１３)。ここまでで１画像データに関するシーケンスが完了する。その後、S９００４に戻り、S９００５にて全ての画像ファイルが処理されるまで、上記のシーケンスを繰り返す。以上のシーケンスより、選択シート８０００の印刷情報を作成し、印刷を行う。本シーケンスにおいては特に、印刷のシーケンスにおいては規定していない。これは、選択シート８０００の全ての情報を作成した後に印刷を行っても、選択シート８０００の情報の作成と並行して印刷を行っても、本発明の本質とは直接関係しないためである。
【実施例２】
【００４６】
本発明のシステムについて、具体的な動作手順を含めて実施例として説明を行う。本発明に記載の画像形成装置１０００は電源コード４００９を家庭用コンセントに挿入することで起動を行う。次に操作パネル１００２に配置されている電源キーを押下されることで、ユーザーからの入力待ち状態に遷移する。
【００４７】
本実施例で説明するシーケンスは、実施例１によって印刷された選択シート８０００を基に、印刷するものである。ユーザーは選択シート８０００の中の、プリンタ設定を選択するための設定値領域８００２や、画像形成装置に動作指示をするためのマーク形状部８００４を、所望の出力を得るために記入しなければならない。本実施例は、ユーザーが選択シート８０００を記載した後、本発明に記載の画像形成装置１０００のスキャナ原稿台３００１に選択シート８０００をセットし、操作パネル１００２の操作によって、所望の画像の印刷動作を選択した時点で開始される(S１０００１)。本発明のシステムは、原稿台３００１にセットされた選択シート８０００の内容を、スキャナ部４００７を使用して読み取りを行う(S１０００２)。この原稿が選択シート８０００かどうかを判断し(S１０００３)、選択シート８０００出なかった場合、エラー表示を行い終了する(S１００１１)。S１０００３によって、正しい選択シート８０００だった場合、その選択シート８０００の内容解析を行う(S１０００４)。この解析に関しては、例えばシート識別子８００１をから画像テーブル６００１を特定したり、設定値領域８００２から設定情報を読み出したり、マーク形状部８００４から画像を特定したり、複数の動作が行われる。S１０００４の解析によって得られた情報から、この選択シート８０００に対応した画像テーブル６００１があるかどうか判定する(S１０００５)。S１０００５の判定によって画像テーブル６００１が存在しない場合、エラー表示をして終了する(S１００１１)。S１０００５の判定によって画像テーブル６００１が存在した場合、S１０００４で取得した情報から、印刷に対する設定を行う(S１０００６)。次に画像テーブルの解析を行う(S１０００７)。S１０００７の解析は、画像テーブル６００１から、画像を特定するための画像名６００３などを読み出し、対象画像ファイルを捜し出すものである。S１０００４の選択シート８０００の内容解析において得られたタ印刷対象画像と、S１０００７の画像テーブル解析から、印刷対象の画像ファイルを探し(S１０００８)対象がいるがなかった場合、終了する(S１０００１)。S１０００８の判定で印刷対象の画像ファイルが存在した場合、その画像データをデータ保存領域４００５から読み出して(S１０００９)、印刷処理を行う(S１００１０)。その後、S１０００７〜S１００１０までを繰り返し、対象画像の印刷を行う。
【実施例３】
【００４８】
実施例１においてはメモリカード４０１１から画像データを読み込んで、選択ファイル８０００を印刷する方法を説明したが、この画像データを読み込む場所を、データ保存領域４００５にするだけで、選択シートの再印刷が可能となる。
【００４９】
（その他の実施例）
本発明の実施形態を、データ保存領域４００５をシステム内部にもつ機構で説明したが、実施形態としてはこれに限ったことではない。保存領域を外部接続部を設けて外部接続したり、また、ネットワークを通じて共通の保存領域を持つことで使用したりすることは可能である。
【００５０】
とくにネットワークを通じた共通領域に保存領域を持つことで、本発明の実施形態にかかる複数の画像形成装置から、同一の印刷結果を取得することが可能になる。
【００５１】
なお本発明は、複数の機器（例えばホストコンピュータ、インターフェース機器、スキャナ、リーダ、プリンタなど）から構成されるシステムに適用しても、一つの機器からなる装置（例えば、複写機、ファクシミリ装置など）に適用してもよい。
【００５２】
発明の目的は、前述の実施形態を実現するソフトウェアのプログラムコードを記録した記憶媒体をシステムまたは装置に供給し、そのシステムまたは装置のコンピュータが記憶媒体に格納されたプログラムコードを読み出し実行することによっても達成される。この場合、記憶媒体から読み出されたプログラムコード自体が実施形態の機能を実現することになり、そのプログラムコードを記憶した記憶媒体は本発明を構成することになる。また本発明は、コンピュータが読み出したプログラムコードを実行することにより、前述した実施形態の機能が実現される。これに限らず、プログラムコードの指示に基づき、コンピュータ上で稼働しているＯＳなどが実際の処理の一部または全部を行い、その処理によって前述した実施形態の機能が実現される場合も含まれる。さらに次のような場合も含まれる。記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行う。この処理によって前述した実施形態の機能が実現される場合である。
【００５３】
以上説明したように本実施の形態によれば、今までにない画像形成装置および制御方法を提案することで、ユーザーにとって簡単でわかりやすい方法で、所望の画像データを印刷することが可能である。
【００５４】
（産業上の利用可能性）
本発明は、デジタル画像の印刷を行う画像形成装置およびその制御方法にかかるものであり、本発明のシステムによれば、ソフトウェアや入力装置への繁雑な設定作業など無しに、所望の画像出力を得ることが可能になる。また画像データが保存されたメモリカードなどの領域を圧迫することなく、一度選択シートに印刷された画像に関してはメモリカードから消去することが可能になるため、メモリカードなどの再利用性を高めることが可能になる。
【図面の簡単な説明】
【００５５】
【図１】本発明の実施形態に関わる画像形成装置の概観斜視図である。
【図２】本発明の実施形態に関わる画像形成装置を背面から見た外観斜視図である。
【図３】本発明の実施形態に関わる画像形成装置の原稿カバーを上面に開いた外観斜視図である。
【図４】本発明の実施形態に関わる画像形成装置の制御に係る主要部の構成図である。
【図５】本発明の実施形態に関わる画像形成装置のＡＳＩＣの構成を示すブロック図である。
【図６】本発明の実施形態に関わる画像形成装置に使用する画像テーブルの一例である。
【図７】本発明の実施形態に関わる画像形成装置に内蔵される保存領域に保存されるデータの概念図である。
【図８】本発明の実施形態に関わる画像形成装置に使用される、プリンタの設定値や画像を選択するための選択シートの概略図である。
【図９】本発明の実施形態に関わる画像形成装置の動作フローの実施例である。
【図１０】本発明の実施形態に関わる画像形成装置の動作フローの実施例である。
【符号の説明】
【００５６】
１０００  本実施形態に係る画像形成装置
１００１  排出トレイ
１００２  操作パネル
１００３  カード挿入口
１００４  スキャナ原稿カバー
１００５  自動給紙部
１００６  ケース
１００７  アクセスカバー
Ｐ  用紙
２００１  電源コード差込口
２００２  USB差込口
３００１  原稿台
３００２  白色基準版
４００１  制御基板
４００２  中央演算装置（ＣＰＵ）
４００３  ＡＳＩＣ（専用カスタムＬＳＩ）
４００４  メモリ
４００４a  プログラムメモリ
４００５  データ保存領域
４００６  印刷部
４００７  スキャナ部
４００８  電源コネクタ
４００９  電源コード
４０１０  電源
４０１１  メモリカード
５００１  内部バス（ＡＳＩＣバス）
５００２  ＣＰＵインターフェース部
５００３  メモリカードインターフェース部
５００４  操作パネルインターフェース部
５００５  スキャナ関連モジュール
５００６  印刷関連モジュール
５００７  HDDコントローラモジュール
６００１  画像テーブル
６００２  画像インデックス
６００３  画像名
６００４  ファイルの更新日
６００５  チェックサム
７００１  ルートディレクトリ
７００２  ディレクトリ
７００３  ディレクトリ
７００４  ディレクトリ
７００５  ディレクトリ
７００６  画像ファイル
７００７  画像ファイル
７００８  画像ファイル
７００９  画像テーブル
７０１０  画像テーブル
８０００  選択シート
８００１  識別子
８００２  設定値領域
８００３  略画像
８００４  マーク形状部
【図１】
2009117900.tif 000003
【図２】
2009117900.tif 000004
【図３】
2009117900.tif 000005
【図４】
2009117900.tif 000006
【図５】
2009117900.tif 000007
【図６】
2009117900.tif 000008
【図７】
2009117900.tif 000009
【図８】
2009117900.tif 000010
【図９】
2009117900.tif 000011
【図１０】
2009117900.tif 000012